(57)【要約】【課題】本発明は、電子機器等の表示部として用いられる液晶表示装置に関し、色度特性及び視角特性の良好な液晶表示装置を提供することを目的とする。【解決手段】対向面にそれぞれ電極１６、４２を備えた基板２、４と、基板２、４間に封止された液晶６と、液晶６にかかる実効電圧が電極１６、４２間に印加された電圧よりも低い低実効電圧領域Ｂを所定の面積比率で一部に備え、低実効電圧領域Ｂと他の領域Ａとの間で閾値電圧が異なる画素領域とを有するように構成する。【選択図】    図２
2008225495.tif 000002
【特許請求の範囲】
【請求項１】
対向配置され、電極を備えた一対の基板と、
前記一対の基板間に封止された液晶と、
前記液晶にかかる実効電圧が前記電極間に印加された電圧よりも低い１つ若しくは複数の低実効電圧領域を所定の面積比率で一部に備え、前記１つ若しくは複数の低実効電圧領域と他の領域との間で閾値電圧が異なる画素領域と
を有することを特徴とする液晶表示装置。
【請求項２】
請求項１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
波長λに対する液晶分子の複屈折率をΔｎ（λ）とすると、少なくとも２種の前記カラーフィルタ層をそれぞれ備えた前記画素領域のセル厚ｄｋが、
｜Δｎ（λｉ）・ｄｉ／λｉ−Δｎ（λｊ）・ｄｊ／λｊ｜＜０．２
（ｉ，ｊ＝１，２，・・・，Ｎ；ｉ≠ｊ）
の関係を満たすこと
を特徴とする液晶表示装置。
【請求項３】
請求項１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
前記中心透過波長λｋによらず、前記画素領域のセル厚ｄが略一定であり、
液晶分子にチルト角θｋを与えるデータ電圧Ｖｋを印加したときの液晶層の実効リタデーションΔｎ（λｋ，θｋ）が、少なくとも２種の前記カラーフィルタ層をそれぞれ備えた前記画素領域間で、
｜Δｎ（λｉ，θｉ）・ｄ／λｉ−Δｎ（λｊ，θｊ）・ｄ／λｊ｜＜０．２
（ｉ，ｊ＝１，２，・・・，Ｎ；ｉ≠ｊ）
の関係を満たすとともに、
偏光板を備えていない状態の液晶表示パネルを透過又は反射した入射光源の色度（ｘ０，ｙ０）と、白表示時の色度（ｘ１，ｙ１）とが、
（（ｘ０−ｘ１）2＋（ｙ０−ｙ１）2）1/2＜０．１
の関係を満たすこと
を特徴とする液晶表示装置。
【請求項４】
請求項１乃至３のいずれか１項に記載の液晶表示装置において、
前記低実効電圧領域は、少なくとも一方の前記電極上に所定の膜厚で形成された誘電体層を有していること
を特徴とする液晶表示装置。
【請求項５】
請求項１乃至３のいずれか１項に記載の液晶表示装置において、
前記低実効電圧領域は、少なくとも一方の前記電極に形成された電極抜き部を有していること
を特徴とする液晶表示装置。
【請求項６】
対向配置され、対向面にそれぞれ電極を備えた一対の基板と、
前記一対の基板間に封止された液晶と、
前記液晶に混入された重合性成分が重合したポリマーと、
セル厚が異なることにより電気光学特性が互いに異なる複数の領域を備えた画素領域と
を有することを特徴とする液晶表示装置。
【請求項７】
請求項６記載の液晶表示装置において、
前記画素領域は、前記セル厚の相対的に薄い領域であって前記一対の基板の一方の前記電極上に形成された誘電体層を有していること
を特徴とする液晶表示装置。
【請求項８】
請求項７記載の液晶表示装置において、
前記誘電体層は前記画素領域の外周部に形成され、
前記誘電体層の形成されていない開口部を前記画素領域の内部にさらに有していること
を特徴とする液晶表示装置。
【請求項９】
請求項８記載の液晶表示装置において、
前記誘電体層は、前記開口部側に傾斜した傾斜面を有していること
を特徴とする液晶表示装置。
【請求項１０】
対向配置された一対の基板と、
前記一対の基板間に封止された液晶と、
重合性成分及び重合開始材が画素領域内の複数の領域毎に異なる濃度で含有された配向膜と
を有することを特徴とする液晶表示装置。
【発明の詳細な説明】
【技術分野】
【０００１】
本発明は、電子機器等の表示部として用いられる液晶表示装置に関し、特に、優れた視野角特性を有するＭＶＡモードの液晶表示装置に関する。
【背景技術】
【０００２】
ＭＶＡ（Ｍｕｌｔｉ−ｄｏｍａｉｎ  Ｖｅｒｔｉｃａｌ  Ａｌｉｇｎｍｅｎｔ）モードの液晶表示装置（以下、「ＭＶＡ−ＬＣＤ」という）は、高コントラスト及び高速応答を実現する垂直配向（Ｖｅｒｔｉｃａｌ  Ａｌｉｇｎｍｅｎｔ）技術と、広視野角を実現する配向分割（Ｍｕｌｔｉ−ｄｏｍａｉｎ）技術とを組み合わせた液晶表示装置である。ＭＶＡ−ＬＣＤは、配向分割を実現するために基板上に設けられた配向規制用構造物（線状の突起や電極の抜き）を有している。配向規制用構造物は、生産性低下の大きな原因であるラビング処理が不要になるという効果を兼備する。このため、ＭＶＡ−ＬＣＤでは高い生産性が実現されている。
【発明の開示】
【発明が解決しようとする課題】
【０００３】
しかしながら、ＭＶＡ−ＬＣＤにも改善すべき問題が存在する。図１８は、従来のＭＶＡ−ＬＣＤの透過率特性（Ｔ−Ｖ特性）を示すグラフである。横軸は液晶への印加電圧（Ｖ）を表し、縦軸は光の透過率（％）を表している。グラフ中の線Ｘ１は表示画面に垂直な方向（以下、「正面方向」という）でのＴ−Ｖ特性を示し、線Ｘ２は表示画面上方に極角６０°の方向（以下、「斜め方向」という）でのＴ−Ｖ特性を示している。ここで、極角とは表示画面に立てた垂線となす角である。液晶表示装置の表示モードはノーマリブラックモードである。図１８に示すように、斜め方向でのＴ−Ｖ特性には、正面方向でのＴ−Ｖ特性に比較して透過率が上昇する階調領域と、透過率が減少する階調領域とが存在している。このため、正面方向での色度に対して斜め方向の色度がずれてしまうという問題が生じている。特に、斜め方向での透過率が正面方向での透過率より大きい領域が問題となっている。すなわち、暗い中間調の表示画像が斜め方向からは白っぽく見えてしまうという問題が生じている。
【０００４】
図１９は、従来のＭＶＡ−ＬＣＤの色度特性を示すグラフである。線Ｙ１は正面方向での階調による色度特性の変化を示し、線Ｙ２は斜め方向での階調による色度特性の変化を示している。図１９に示すように、従来のＭＶＡ−ＬＣＤは、階調及び視角により色度が変化してしまうという問題も有している。各階調での透過率は、液晶層で発生するリタデーションの大きさで決まっている。色度もリタデーションの大きさに依存して変化するため、階調により色度が変化してしまうという現象が生じる。
【０００５】
本発明の目的は、色度特性及び視角特性の良好な液晶表示装置を提供することにある。
【課題を解決するための手段】
【０００６】
上記目的は、対向配置され、対向面にそれぞれ電極を備えた一対の基板と、前記一対の基板間に封止された液晶と、前記液晶にかかる実効電圧が前記電極間に印加された電圧よりも低い低実効電圧領域を所定の面積比率で一部に備え、前記低実効電圧領域と他の領域との間で閾値電圧が異なる画素領域とを有することを特徴とする液晶表示装置によって達成される。
【発明の効果】
【０００７】
以上の通り、本発明によれば、色度特性及び視角特性の良好な液晶表示装置を実現できる。
【発明を実施するための最良の形態】
【０００８】
〔第１の実施の形態〕
本発明の第１の実施の形態による液晶表示装置について図１乃至図１１を用いて説明する。図１は、本実施の形態による液晶表示装置の概略構成を示している。図１に示すように、液晶表示装置は、絶縁膜を介して互いに交差して形成されたゲートバスライン及びドレインバスラインと、画素毎に形成されたＴＦＴ及び画素電極とを備えたＴＦＴ基板２を有している。また、液晶表示装置は、共通電極が形成された対向基板４と、両基板２、４間に封止された液晶（図示せず）とを有している。
【０００９】
ＴＦＴ基板２には、複数のゲートバスラインを駆動するドライバＩＣが実装されたゲートバスライン駆動回路８０と、複数のドレインバスラインを駆動するドライバＩＣが実装されたドレインバスライン駆動回路８２とが設けられている。これらの駆動回路８０、８２は、制御回路８４から出力された所定の信号に基づいて、走査信号やデータ信号を所定のゲートバスラインあるいはドレインバスラインに出力するようになっている。ＴＦＴ基板２の素子形成面と反対側の基板面には偏光板８６が配置され、偏光板８６のＴＦＴ基板２と反対側の面にはバックライトユニット８８が取り付けられている。一方、対向基板４の共通電極形成面と反対側の面には、偏光板８６とクロスニコルに配置された偏光板８７が貼り付けられている。
【００１０】
図２は、本実施の形態による液晶表示装置の基本構成を示す断面図である。図３は、図２に示す領域近傍の構成を示す斜視図である。図２及び図３に示すように、ＴＦＴ基板２と対向基板４との間には、液晶６が封止されている。ＴＦＴ基板２上には、画素領域毎に画素電極１６が形成されている。画素電極１６には、配向規制用構造物である配向規制用スリット（電極の抜き）４８が形成されている。対向基板４上のほぼ全面には、共通電極４２が形成されている。共通電極４２上には、配向規制用構造物である線状突起４４が設けられている。各画素領域は、配向規制用スリット４８及び線状突起４４によって複数の配向領域に分割されている。各配向領域では、液晶分子８がほぼ同一の方位に傾斜する。
【００１１】
画素電極１６上であって各配向領域内の一部の領域（低実効電圧領域）Ｂには、誘電体層５０が形成されている。誘電体層５０は、領域Ｂの液晶６にかかる実効電圧を配向領域内の他の領域Ａよりも低下させるために設けられている。これにより領域Ｂでは閾値電圧が領域Ａより高くなり、配向領域内には閾値電圧が互いに異なる２つの領域Ａ、Ｂが形成される。このため局所的に見ると、各配向領域は互いに異なる２つのＴ−Ｖ特性を有することになる。誘電体層５０は画素電極１６と共通電極４２との間に配置されればよいため、共通電極４２上に形成してもよい。
【００１２】
図４は、本実施の形態による液晶表示装置の基本構成の変形例を示す斜視図である。図４に示すように、配向領域内の一部の領域Ｂの画素電極１６には、ストライプ状に電極が抜かれた実効電圧低下用スリット（電極抜き部）４６が形成されている。実効電圧低下用スリット４６は、配向規制用構造物としてではなく、図２及び図３に示す誘電体層５０と同様に、領域Ｂの液晶６にかかる実効電圧を配向領域内の他の領域Ａよりも低下させるために設けられている。
【００１３】
図５は、本基本構成による液晶表示装置のＴ−Ｖ特性を示すグラフである。横軸は液晶への印加電圧（Ｖ）を表し、縦軸は光の透過率（％）を表している。グラフ中の線Ａ１は正面方向でのＴ−Ｖ特性を示し、線Ａ２は斜め方向でのＴ−Ｖ特性を示している。図５に示すように、本基本構成による液晶表示装置のＴ−Ｖ特性は、閾値電圧が互いに異なる領域Ａ、ＢでのＴ−Ｖ特性が平均され、図１８に示した従来の液晶表示装置のＴ−Ｖ特性と比較すると、正面方向と斜め方向との透過率の差が小さくなっている。したがって、本基本構成による液晶表示装置では、正面方向と斜め方向との間における表示画像の色度ずれの少ない良好な階調視角特性が得られる。
【００１４】
また、本基本構成による液晶表示装置では、階調による色度変化や視角による色度変化も大幅に改善する。部分的に閾値電圧が互いに異なる領域を画素領域（配向領域）内に設けることは、リタデーションが互いに異なる領域を画素領域内に設けることにもなる。つまり、任意の電圧を液晶に印加したとき、各領域で液晶分子の傾斜角が異なるため、液晶分子の傾斜角に依存するリタデーション値も各領域で異なることになる。したがって、任意の階調における各色の画素間でのリタデーション差が緩和されるため、階調及び視角による色度変化が少なくなる。
【００１５】
また、カラーフィルタ層の透過スペクトルに応じて、各色の画素のリタデーション値を調整することにより、各色の画素間のΔｎ・ｄ／λの差をさらに少なくすることができる。すなわち、閾値電圧が異なる各領域でのリタデーション値、カラーフィルタ層の透過スペクトル、液晶層の複屈折率の波長分散性、及び各色毎に異なる液晶層に印加される電圧等のパラメータを、全階調において各色の画素間のΔｎ・ｄ／λの差が最小になるよう最適化する。これにより、階調や視角による色度変化がほとんど発生しない良好な表示特性が得られる。
【００１６】
一般的な液晶表示装置には、赤、緑、青（Ｒ，Ｇ，Ｂ）の３色のカラーフィルタが用いられている。各カラーフィルタの中心透過波長は、Ｒが約６００ｎｍ、Ｇが約５５０ｎｍ、Ｂが約４５０ｎｍである。また、リタデーションΔｎ・ｄは、約３５０ｎｍである。よって、従来の液晶表示装置においては、Ｒの画素とＢの画素で、おおよそ０．２程度のΔｎ・ｄ／λの差が生じている。したがって、各色の画素間のΔｎ・ｄ／λの差を従来より小さい０．２以下にすることで、階調や視角による色度変化がほとんど視認されない良好な表示特性が得られる。
【００１７】
すなわち、Ｎ種類のカラーフィルタ層の中心透過波長をλｋ（ｋ＝１，２，・・・，Ｎ；Ｎ＞２）とし、波長λに対する液晶分子の複屈折率をΔｎ（λ）とし、中心透過波長がλｋのカラーフィルタ層を備えた画素のセル厚をｄｋとすると、少なくとも２種類の異なるカラーフィルタ層をそれぞれ備えた画素の間で、以下の関係を満たすようにする。
【００１８】
｜Δｎ（λｉ）・ｄｉ／λｉ−Δｎ（λｊ）・ｄｊ／λｊ｜＜０．２
（ｉ，ｊ＝１，２，・・・，Ｎ；ｉ≠ｊ）
【００１９】
これにより、階調や視角による色度変化がほとんど視認されない良好な表示特性が得られる。さらに好ましくは、各色の画素間のΔｎ・ｄ／λの差を０．０５以下にする。これにより、階調や視角による色度変化が全く視認されない極めて良好な表示特性が得られる。
【００２０】
各色の画素間のΔｎ・ｄ／λの差を小さくする手法として、以下に示すような２つの方法がある。図６は、第１の方法を適用した液晶表示装置の断面構成を示している。図６に示すように、第１の方法では、Ｒ、Ｇ、Ｂの各色の画素間でカラーフィルタ層４０の膜厚を異ならせることによって各画素のセル厚ｄを制御している。
【００２１】
図７は、第２の方法を適用した液晶表示装置の断面構成を示している。図７に示すように、第２の方法では、各色の画素間で誘電体層５０の膜厚を異ならせることによって、液晶にかかる実効電圧を異ならせている。あるいは、図８に示すように、カラーフィルタ層４０や誘電体層５０の膜厚を変えずに、各色の画素間で液晶層にかかる電圧を異ならせている。これらの構成では、各色の画素のセル厚ｄが略一定であり、液晶層の実効リタデーションΔｎ（λ，θ）が以下の関係を満たすように制御される。
【００２２】
｜Δｎ（λｉ，θｉ）・ｄ／λｉ−Δｎ（λｊ，θｉ）・ｄ／λｊ｜＜０．２
（ｉ，ｊ＝１，２，・・・，Ｎ；ｉ≠ｊ）
【００２３】
ノーマリブラックモードでは最大の透過率（ノーマリホワイトモードでは最大のコントラスト）を得るために、液晶層のリタデーションを選択する必要がある。セル厚ｄを制御して各色の画素間のΔｎ・ｄ／λの差を低減する場合には、最大の透過率を得るために、中心透過波長λが５４５ｎｍに最も近いカラーフィルタを備えた画素（Ｒ、Ｇ、Ｂの構成ではＧ）のリタデーションΔｎ（λｋ）・ｄｋを２５０〜４５０ｎｍの間、好ましくは３４５ｎｍ付近に設定する必要がある（２５０ｎｍ＜Δｎ（λｋ）・ｄｋ＜４５０ｎｍ）。また、最大の透過率を得るために、液晶層の実効リタデーションΔｎ（λ，θ）を制御して各色の画素間のΔｎ・ｄ／λの差を低減する場合には、Ｔ−Ｖ曲線が最も急峻になる中心透過波長λが最も短いカラーフィルタを備えた画素（Ｒ、Ｇ、Ｂの構成ではＢ）のリタデーションΔｎ（λｋ）・ｄｋを２５０〜４５０ｎｍの間に、好ましくは３４５ｎｍ付近に設定する必要がある（２５０ｎｍ＜Δｎ（λｋ）・ｄ＜４５０ｎｍ）。
【００２４】
セル厚ｄを制御して各色の画素間のΔｎ・ｄ／λの差を低減する場合は、階調による色度変化がないように調整を行うことで、視角による色度変化も自動的に改善される。しかし、液晶層の実効リタデーションΔｎ（λ，θ）を制御して各色の画素間のΔｎ・ｄ／λの差を低減する場合には、偏光板を備えていない状態の液晶表示パネルを透過又は反射した入射光源の色度（ｘ０，ｙ０）と、白表示時の色度（ｘ１，ｙ１）との差を０．１より小さくする必要がある（（（ｘ０−ｘ１）2＋（ｙ０−ｙ１）2）1/2＜０．１）。両色度の差は、０．０１以下にするのがさらに好ましい。正面方向での階調による色度変化のみを改善する場合には、各色の画素間のΔｎ・ｄ／λの差を低減する必要性はないので、どの色度に調整してもよい。しかし、階調による色度変化と視角による色度変化との両方を改善するためには、斜め方向から見たときのリタデーションも揃える必要があるため、各色の画素間のΔｎ・ｄ／λの差を低減する必要がある。例えばバックライトを用いる透過型液晶表示装置では、バックライトから照射される光の色度を調整することで、所望の色度の液晶表示装置が得られる。
【００２５】
図９は、閾値が異なる各領域のリタデーション値、カラーフィルタの透過スペクトル、及び液晶層の複屈折率の波長分散性を最適化した液晶表示装置の色度特性を示すグラフである。線Ｂ１は正面方向での階調による色度特性の変化を示し、線Ｂ２は斜め方向での階調による色度特性の変化を示している。図１９に示した従来の液晶表示装置の階調色度変化特性と比較して、正面方向と斜め方向との双方で階調による色度変化が大幅に少なくなっていることが確認できる。併せて、正面方向と斜め方向との間での色度差も低減し、視角により色が変化するといった不具合も解消される。
【００２６】
以上説明したように、本実施の形態によれば、階調視角特性及び階調色度変化特性が大幅に改善され、より優れた表示品位の得られる液晶表示装置を実現できる。以下、具体的実施例を用いて説明する。
【００２７】
（実施例１−１）
まず、本実施の形態の実施例１−１による液晶表示装置について説明する。本実施例による液晶表示装置は、既に示した図２及び図３と同様の構成を有している。線状突起４４や配向規制用スリット４８等の配向規制用構造物を備えたＭＶＡ−ＬＣＤの例えばＴＦＴ基板２側の領域Ｂには、液晶層にかかる実効電圧を制御し、閾値電圧を高くするための誘電体層５０が形成されている。
【００２８】
対向基板４は、Ｒ、Ｇ、Ｂの３色のカラーフィルタ層４０を有している。カラーフィルタ層４０上には共通電極４２が形成されている。共通電極４２上には、高さ１．４μｍ、幅１０μｍの線状突起４４が７０μｍピッチで形成されている。
【００２９】
ＴＦＴ基板２は、画素領域毎に画素電極１６を有している。画素電極１６には、幅１０μｍの配向規制用スリット４８が７０μｍピッチで形成されている。また画素電極１６上には、配向規制用スリット４８を中心として幅５０μｍ、高さ（厚さ）０．５μｍのほぼ直方体状の誘電体層５０が形成されている。基板２、４の一方には、３．６μｍのセル厚が得られるように柱状スペーサが形成されている。また両基板２、４は、各対向面に垂直配向膜（ＪＳＲ製）が塗布され、線状突起４４と配向規制用スリット４８とが交互に配列するように貼り合わされている。両基板２、４間には、Δｎ＝０．１のｎ型液晶（Ｍｅｒｃｋ製）が充填されている。なお、図２及び図３では、１画素内で配向分割された４つの配向領域のうち一部のみを示している。実際には、１画素内の各配向領域での液晶分子の傾斜方向はそれぞれ４５°、１３５°、２２５°、３１５°（例えば表示画面右方を０°とする）である。各配向領域の面積は、１画素内でほぼ均等になっている。
【００３０】
また、実施例１−１に対する比較例として、実効電圧を制御する誘電体層５０を形成していない液晶表示装置を作製した。
【００３１】
（実施例１−２）
実施例１−２として、透過率を最大にするために、閾値電圧が互いに異なる複数の領域における透過率の和が最大になるように、セル厚を４．３μｍにした液晶表示装置を作製した。
【００３２】
（実施例１−３）
実施例１−３として、階調色度変化をより改善するために、Ｒ、Ｇ、Ｂの各画素で誘電体層５０の厚さを異ならせた図７に示すような液晶表示装置を作製した。各画素での誘電体層５０の厚さは、Ｒ画素で０．３μｍ、Ｇ画素で０．５μｍ、Ｂ画素で０．７μｍである。
【００３３】
（実施例１−４）
実施例１−４として、階調色度変化をより改善するために、Ｒ、Ｇ、Ｂの各画素でセル厚を異ならせた図６に示すような液晶表示装置を作製した。各画素でのセル厚は、Ｒ画素で４．７μｍ、Ｇ画素で４．３μｍ、Ｂ画素で３．５μｍである。
【００３４】
（実施例１−５）
実施例１−５として、階調色度変化をより改善するために、実施例１−２と同様の液晶表示パネルに、Ｒ、Ｇ、Ｂ毎に補正用階調変換テーブル備えた信号変換基板を用いて、入力されるデータ電圧をＲ、Ｇ、Ｂの画素間で最適化した図８に示すような液晶表示装置を作製した。
【００３５】
なお、実施例１−１乃至１−５では誘電体層５０の形状をほぼ直方体としたが、他の形状であっても同様の効果は得られる。例えば、形成幅Ｌ及び間隙幅ＳがＬ／Ｓ＝３．０μｍ／３．０μｍであるストライプ状の誘電体層５０を配向規制用構造物と直交する方向に設けることによって、実効電圧を制御する効果に加え、配向規制用構造物が規制する配向制御能を強める効果が得られる。したがって、より強固な配向制御が可能となり、透過率の改善や各種表示不良の回避等を実現できる。
【００３６】
また、実施例１−３では、階調色度変化を改善するため、Ｒ、Ｇ、Ｂの各画素で誘電体層５０の厚さを変化させたが、誘電体層５０の面積比率、形状を変化させても同様の効果が得られる。また、ストライプ状の誘電体層５０を設ける場合には、誘電体層５０の幅や周期をＲ、Ｇ、Ｂの各画素間で最適化しても同様の効果が得られる。
【００３７】
（実施例１−６）
本実施の形態による実施例１−６による液晶表示装置について説明する。本実施例による液晶表示装置は、既に示した図４と同様の構成を有している。配向領域内の一部の領域Ｂの画素電極１６には、実効電圧低下用スリット（電極抜き部）４６が形成されている。実効電圧低下用スリット４６は、液晶６にかかる実効電圧を配向領域内の他の領域Ａよりも低下させ、閾値電圧を高くするために設けられている。
【００３８】
対向基板４は、Ｒ、Ｇ、Ｂの３色のカラーフィルタ層４０を有している。カラーフィルタ層４０上には共通電極４２が形成されている。共通電極４２上には、高さ１．４μｍ、幅１０μｍの線状突起４４が７０μｍピッチで形成されている。
【００３９】
ＴＦＴ基板２は、画素領域毎に画素電極１６を有している。画素電極１６には、幅１０μｍの配向規制用スリット４８が７０μｍピッチで形成されている。また画素電極１６には、配向規制用スリット４８を中心として配向規制用スリット４８に直交して延びる、より微細なストライプ状（Ｌ／Ｓ＝３．５μｍ／５．０μｍ）の実効電圧低下用スリット４６が設けられている。上記以外は実施例１−１と同様の構成を有している。
【００４０】
本実施例による液晶表示装置は、実施例１−２と同様に、複数の閾値が異なる領域の透過率の和が最大になるように最適化を行うことにより、透過率の損失をさらに低減できる。また、実施例１−３と同様に、Ｒ、Ｇ、Ｂの各画素で配向規制用スリット４８の形状や幅、周期を最適化することにより、より優れた階調色度特性が得られる。さらに、実施例１−４と同様に、Ｒ、Ｇ、Ｂの各画素でセル厚を最適化することにより、より優れた階調色度特性が得られる。また、実施例１−５と同様に、入力されるデータ電圧をＲ、Ｇ、Ｂの各画素で最適化することにより、より優れた階調色度特性が得られる。
【００４１】
図１０は、実施例１−１乃至１−６と比較例（Ｒｅｆ．）の特性をまとめて示すグラフである。横軸は、規格化透過率を対数で表している。規格化透過率は、白表示時の透過率１００％としている。縦軸は、正面方向の透過率に対する斜め方向の透過率の比率（透過率比）を表している。図１０に示すグラフでは、規格化透過率によらず透過率比が一定、すなわちプロファイルが平坦である方が階調視角特性に優れている。また、透過率比が１．０に近い方がさらに階調視角特性に優れている。図１０に示すように、実施例１−１乃至１−６では、従来透過率比が高かった低透過率での透過率比が低下してプロファイルがより平坦になっており、さらに全体的に透過率比が１．０に近くなっている。したがって、いずれの実施例によっても階調視角特性が比較例より大幅に改善することが分かる。
【００４２】
図１１は、実施例１−１乃至１−６と比較例の構造及び光学特性をまとめて示す表である。透過率は、比較例の透過率を１．０としたときの比で表している。階調色度変化は、黒から白に階調を変化させたときの色度変化幅を示している（図９や図１９に示すようなプロットをしたときの各線の長さに相当する）。また、一般的なデモ表示用画像を目視で確認したときの階調視角特性と階調色度変化の特性を優れている方から順に◎、○、△、×の４段階で評価している。図１１に示すように、いずれの実施例も比較例に対して透過率をほとんど損失することなく、格段に優れた階調視角特性及び階調色度変化特性が得られ、全体的に極めて高い表示性能が得られる。
【００４３】
上記実施例において、誘電体層５０や実効電圧低下用スリット４６を設ける領域を画素の端部に近い領域に設けることにより、各種表示不良を回避することができる。つまり、画素の端部に近い領域の閾値電圧を高くすることで、従来白表示時に発生していた表示不良を防ぐことができる。また、特に誘電体層５０を画素の端部に近い領域に設けることにより、実効的なセル厚を薄くすることができる。したがって、配向制御能が向上するため、表示不良に強い液晶表示装置が実現できる。
【００４４】
上記実施例において、実効電圧を低下させる領域の面積比率は、どの階調領域の階調視角表示特性を主に改善するかというパラメータである。また、閾値電圧の差は、どの程度の特性改善が得られるかというパラメータである。したがって、ＭＶＡ−ＬＣＤで問題となっている極低階調での表示特性を改善するためには、面積比率が０．５〜０．９であることが好ましい。さらに望ましくは、面積比率が０．６〜０．８であると、全階調にわたってより優れた表示特性が得られる。閾値電圧の差は、透過率とトレードオフの関係にあるため、０．１Ｖ〜２．０Ｖであることが好ましい。さらに望ましくは、閾値電圧の差が０．５Ｖ〜１．０Ｖであると、透過率の損失がほとんどなく、かつ全階調にわたってより優れた表示特性が得られる。
【００４５】
また、上記実施例は、本実施の形態をＭＶＡ−ＬＣＤに適用した例であるが、本実施の形態を他のスイッチングモードの液晶表示パネルに適用しても同様の効果が得られる。
さらに、上記実施例は、線状突起４４や配向規制用スリット４８により配向分割を実現したＭＶＡ−ＬＣＤに本実施の形態を適用した例であるが、本実施の形態を他の配向規制用構造物を備えたＭＶＡ−ＬＣＤに適用しても同様の効果が得られる。
【００４６】
また、上記実施例では、配向規制用スリット４８を中心とする位置に誘電体層５０や実効電圧低下用スリット４６を設けたが、他の領域に配置しても同様の効果が得られる。ただし、誘電体層５０や実効電圧低下用スリット４６は、液晶の配向方向を規制する機能も有しているため、配向規制用構造物が規制する液晶の配向方向と矛盾しないように配置するのが望ましい。また、誘電体層５０や実効電圧低下用スリット４６は、配向規制用構造物に重ねて形成するか、あるいは対向配置された他方の基板上の配向規制用構造物と重なるように配置することにより、液晶の配向の対称性が良くなり、全体的には配向制御能が向上する。実際には、上記の条件や画素レイアウト等を考慮して、適切なレイアウト設計を行うのが望ましい。
【００４７】
さらに、上記実施例では、誘電体層５０や実効電圧低下用スリット４６を１つの配向領域を分割するように配置し、配向領域内に閾値電圧の互いに異なる領域を設けている。１画素内に複数の配向領域が存在する場合、その中の少なくとも１つの配向領域全体に誘電体層５０や実効電圧低下用スリット４６を形成してもよい。画素全体で平均して、上記の分割比率や閾値電圧差が得られれば、同様の効果が得られる。また、画素の大きさや画素レイアウトによっては、閾値電圧の差を明確にすることが可能となる。
【００４８】
また、上記実施例１−５のように、入力するデータ電圧を最適化する手法として、スケーラ回路をＲ、Ｇ、Ｂそれぞれに備える方法や、ＩＣＣプロファイル等に代表されるソフト的に変換する方法などがある。双方とも同等の補正機能が働くため、液晶表示装置の使用環境及びコストに応じて、最適な方法を選択することが可能である。
【００４９】
以上説明したように、本実施の形態によれば、良好な視角特性のＭＶＡ−ＬＣＤを実現できる。
【００５０】
〔第２の実施の形態〕
次に、本発明の第２の実施の形態による液晶表示装置について図１２乃至図１７を用いて説明する。近年、ＭＶＡモードやＩＰＳモード等の出現により液晶表示装置の視角特性は大きく改善された。しかしながら、まだＣＲＴの視角特性には及ばない。特に、ＭＶＡ−ＬＣＤは、中間調の表示画像が斜め方向からは白っぽく見えてしまうという問題を有している。
【００５１】
この対策として、本願出願人による日本国特許出願（特願２００２−５２３０３号）には、液晶内に混入された光硬化性組成物を１画素内で部分的に異なるプレチルト角を有するように硬化させる技術が提案されている。この技術によれば、閾値電圧等のＴ−Ｖ特性が互いに異なる領域を１画素内に形成でき、階調視角特性が改善する。
【００５２】
また、本願出願人による日本国特許出願（特願２００１−９８４５５号；以下、「特許出願１」という）には、プレチルト角を付与する手法として、以下のような技術が提案されている。液晶分子のプレチルトは、光又は熱で重合反応するモノマー又はオリゴマーを液晶中に添加しておき、液晶注入後に当該モノマー又はオリゴマーを重合させることにより付与できる。この重合時に液晶に印加する電圧を変えるとプレチルト角を異ならせることができる。印加電圧が大きいほどプレチルト角が小さくなる。ここで、プレチルト角とは、液晶層に電圧が印加されていない状態での液晶分子の基板面からの傾斜角度である。すなわち、「プレチルト角が小さくなる」とは、完全な垂直配向からの傾き角が大きくなること、すなわちより水平配向に近づくことを意味している。
【００５３】
しかしながら、上記の手法では、形成されるプレチルト角の差に限界があり、互いに異なるＴ−Ｖ特性を有する領域を１画素内に形成するのが困難であるという問題が生じていた。また、上記の手法では、液晶表示装置の製造工程が複雑になるという問題が生じていた。
本実施の形態の目的は、容易な製造工程で互いに異なるＴ−Ｖ特性を有する領域を１画素内に形成し、視角特性の良好な液晶表示装置を提供することにある。
【００５４】
図１２は、本実施の形態による液晶表示装置のほぼ１画素分の断面構成を模式的に示している。図１２に示すように、画素領域の一部である領域Ｃには、比較的膜厚の厚い絶縁膜３４が形成されている。このため、領域Ｃのセル厚ｄ１は、他の領域Ｄのセル厚ｄ２よりも薄くなっている（ｄ１＜ｄ２）。液晶６には、モノマーやオリゴマー等の重合性成分が重合したポリマーが形成されている。
【００５５】
このようにセル厚に分布を設けると、モノマーやオリゴマーをＵＶ固化した後には、１画素内で領域により異なるＴ−Ｖ特性が得られる。セル厚ｄ１の薄い領域Ｃでは、液晶分子のプレチルト角が領域Ｄよりも大きく（すなわち垂直配向に近く）なり、Ｔ−Ｖ特性は高電圧側にシフトする。したがって、モノマーやオリゴマーをＵＶ固化した後には、領域Ｄの液晶６が領域Ｃの液晶６より低電圧で反応することになる。なお、領域Ｃ、Ｄは画素を２等分するように分割されている必要はなく、両領域Ｃ、Ｄがより細かく入り混じっていてもよい。また、領域Ｃ、Ｄに加えて、さらにセル厚の異なる他の領域を形成してもよい。
【００５６】
重合可能なモノマーやオリゴマーを用いてプレチルト角を制御する特許出願１に記載された手法では、セル厚の変化によるＴ−Ｖ特性の変化が、モノマーやオリゴマーを用いない場合の数倍程度大きい。このため本実施の形態では、領域Ｃ、Ｄ間でのＴ−Ｖ特性の差が明確になり、領域Ｄの液晶が領域Ｃの液晶よりさらに低電圧で反応することになる。
【００５７】
さらに、領域Ｃ、Ｄ間でプレチルトの設定を変え、領域Ｄのプレチルト角を小さく設定すると、Ｔ−Ｖ特性の変化はより大きくなる。これは、セル厚ｄ１、ｄ２が同一であってもプレチルト角によりＴ−Ｖ特性が変化し、プレチルト角の小さい領域の方が低電圧側になることによる。
【００５８】
プレチルト角を変える手法として、モノマーやオリゴマーを重合するときに液晶に印加する電圧値を変える技術がある。この場合、電圧が高い方がプレチルト角は小さくなる。
【００５９】
また、プレチルト角を変える手法として、配向膜中にモノマーや重合開始材を混入させる技術を利用してもよい。図１３は、当該技術を利用した本実施の形態による液晶表示装置のほぼ１画素分の断面構成を模式的に示している。図１３に示すように、画素内の領域Ｄの配向膜３５’には、モノマーや重合開始材が混入されている。領域Ｃの配向膜３５には、モノマーや重合開始材が領域Ｄより低濃度で混入されているか、またはモノマーや重合開始材が混入されていない（言い換えれば、モノマーや重合開始材が濃度０で混入されている）。こうすることにより、領域Ｄのプレチルト角を領域Ｃより小さくできる。モノマーや重合開始材は、配向膜３６側に混入してももちろんよい。また、この手法と図１２に示す手法とを組み合わせてもよい。この場合、図１２の領域Ｄにおける配向膜３５中のモノマー等の濃度を領域Ｃより高くすることにより、領域Ｄのプレチルト角がさらに小さくなる。
【００６０】
（実施例２−１）
本実施の形態の実施例２−１による液晶表示装置として、図１２に示すような構成の液晶表示パネルを作製した。１画素の大きさを約１００×３００μｍとし、各領域Ｃ、Ｄの大きさをそれぞれ約１００×１５０μｍとした。絶縁膜３４にはアクリル系絶縁膜であるＰＣ４０３（ＪＳＲ社製）を用い、膜厚を１．８μｍとした。セル厚は、領域Ｃで２．２μｍとし、領域Ｄで４．０μｍとした。液晶（Δε＝−３．８；ＮＩ点：７１℃）６には、アクリルモノマーを０．５％混入した。液晶６をパネル内に注入した後、両電極１６、４２間に１０Ｖの電圧を印加しながら、約１Ｊ／ｃｍ2のＵＶ光を液晶６に照射した。本実施例では、全領域で均一なセル厚（４．０μｍ）を有する通常の液晶表示パネルと比較して、斜め方向から見ても良好な表示が得られた。
【００６１】
（実施例２−２）
本実施の形態の実施例２−２による液晶表示装置として、重合時の印加電圧以外は実施例２−１と同一の条件で液晶表示パネルを作製した。実施例２−１ではＵＶ照射を全面で一括に行っているが、本実施例ではマスクを介してＵＶ光を照射し、領域Ｃ、Ｄのモノマーを別々に重合させた。領域Ｃのモノマーを重合する際には１０Ｖの電圧を印加し、領域Ｄのモノマーを重合する際には１６Ｖの電圧を印加した。本実施例では、斜め方向から見たときに実施例２−１の液晶表示パネルよりさらに良好な表示が得られた。
【００６２】
（実施例２−３）
本実施の形態の実施例２−３による液晶表示装置として、図１３に示すような構成の液晶表示パネルを作製した。１画素の大きさを約１００×３００μｍとし、各領域Ｃ、Ｄの大きさをそれぞれ約１００×１５０μｍとした。セル厚は、４．０μｍとした。配向膜３５’中には、配向材（溶剤含む）に対する重量比各５％のアクリルモノマーと重合開始材（Ｉｒｇａｃｕｒｅ６５１；チバ・スペシャルティケミカルズ製）とを印刷時に混入した。配向膜３５、３６には、モノマーや重合開始材を混入しなかった。液晶（Δε＝−３．８；ＮＩ点：７１℃）６には、実施例２−１と同様にアクリルモノマーを０．５％混入した。液晶６をパネル内に注入した後、両電極１６、４２間に１０Ｖの電圧を印加しながら、約１Ｊ／ｃｍ2のＵＶ光を液晶６に照射した。本実施例では、通常の液晶表示パネルと比較して、斜め方向から見ても良好な表示が得られた。
【００６３】
（実施例２−４）
本実施の形態の実施例２−４による液晶表示装置として、図１４及び図１５に示すような構成の液晶表示パネルを作製した。図１４は、本実施例による液晶表示パネルのほぼ３画素分の構成を示し、図１５は図１４のＡ−Ａ線で切断した液晶表示パネルの概略の断面構成を示している。図１４及び図１５に示すように、本実施例では、ゲートバスライン１２とドレインバスライン１４とで画定された各画素領域の外周部であって画素電極１６上に、誘電体層５２が形成されている。誘電体層５２には、アクリル系絶縁膜であるＰＣ４０３（ＪＳＲ社製）を用いた。誘電体層５２は、可視光域での透過率が９０％以上の透明体である。画素中央部には誘電体層５２が開口された開口部５６が形成されている。開口部５６では画素電極１６が露出している。また、ゲートバスライン１２とドレインバスライン１４との各交差位置近傍にはＴＦＴ２０が形成されている。１画素の大きさは約１００×３００μｍである。画素中央部のセル厚は４．０μｍとした。液晶（Δε＝−３．８；ＮＩ点：７１℃）６には、実施例２−１と同様にアクリルモノマーを０．５％混入した。液晶６をパネル内に注入した後、両電極１６、４２間に１０Ｖの電圧を印加しながら、約１Ｊ／ｃｍ2のＵＶ光を液晶６に照射した。
【００６４】
また、本実施例による液晶表示装置の変形例として、図１６及び図１７に示すような構成の液晶表示パネルを作製した。図１６は、本変形例による液晶表示パネルのほぼ３画素分の構成を示し、図１７は図１６のＢ−Ｂ線で切断した液晶表示パネルの概略の断面構成を示している。図１６及び図１７に示すように、本変形例では、各画素外周部に形成された誘電体層５２の端面が開口部５６側に傾斜している。誘電体層５２の膜厚は、０．１μｍ以上セル厚の半分以下であるのが好ましい。誘電体層５２の傾斜面αと平坦面βとの境界が画素領域の外側に配置されていれば、誘電体層５２の膜厚をセル厚相当にしてもよい。また、対向基板４側の共通電極４２上には、各画素のほぼ中心に配置された点状の突起５４が形成されている。その他は、上記の実施例と同一の条件とした。
【００６５】
このように画素外周部に誘電体層５２を設けることで、液晶層に電圧を印加したときに液晶分子８を画素領域の中心に向かって配向させることができる。ただし、いきなり高電圧を印加するとランダムに多くのディスクリネーションラインが発生してしまう。そのため、電圧を印加しながらＵＶ光を照射してモノマーを重合させる際には、印加電圧を低電圧から徐々に上昇させることで規則的なディスクリネーションラインを発生させ、この状態でＵＶ固化することが望まれる。
【００６６】
画素全体の電極１６、４２間に均一に１０Ｖの電圧を印加することによって、図１７に示す液晶６の領域Ｅには実質１０Ｖの電圧が印加され、領域Ｆには誘電体層５２による電圧の分配が生じるため実質６Ｖ程の電圧が印加された状態となる。この状態でＵＶ固化することによって、領域Ｆではプレチルト角が９０°よりやや小さくなり、領域Ｅではプレチルト角が領域Ｆより小さくなる、という違いを実現できる。これにより領域Ｅ、Ｆでは、誘電体層５２の有無により生じる駆動時の実質電圧の違い及びプレチルト角の差に基づいて、電気光学特性を異ならせることができる。本実施例及び変形例では、全領域で均一なセル厚（４．０μｍ）を有する通常の液晶表示パネルと比較して、斜め方向から見ても良好な表示が得られた。
【００６７】
なお、図１６及び図１７に示す構成では開口部５６と突起５４とが各画素に１つずつ形成されているが、各画素に複数の開口部５６及び突起５４を形成してもよい。
【００６８】
以上説明した通り、本実施の形態によれば、互いに異なるＴ−Ｖ特性を有する領域を１画素内に容易な製造工程で形成でき、視角特性の良好な液晶表示装置が実現できる。
【００６９】
以上説明した第１の実施の形態による液晶表示装置は、以下のようにまとめられる。
（付記１）
対向配置され、電極を備えた一対の基板と、
前記一対の基板間に封止された液晶と、
前記液晶にかかる実効電圧が前記電極間に印加された電圧よりも低い１つ若しくは複数の低実効電圧領域を所定の面積比率で一部に備え、前記１つ若しくは複数の低実効電圧領域と他の領域との間で閾値電圧が異なる画素領域と
を有することを特徴とする液晶表示装置。
【００７０】
（付記２）
付記１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
波長λに対する液晶分子の複屈折率をΔｎ（λ）とすると、少なくとも２種の前記カラーフィルタ層をそれぞれ備えた前記画素領域のセル厚ｄｋが、
｜Δｎ（λｉ）・ｄｉ／λｉ−Δｎ（λｊ）・ｄｊ／λｊ｜＜０．２
（ｉ，ｊ＝１，２，・・・，Ｎ；ｉ≠ｊ）
の関係を満たすこと
を特徴とする液晶表示装置。
【００７１】
（付記３）
付記１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
前記中心透過波長λｋが５４５ｎｍに最も近い前記カラーフィルタ層を備えた前記画素領域のセル厚ｄｋと、前記中心透過波長λｋに対する液晶分子の複屈折率Δｎ（λｋ）との積が、
２５０ｎｍ＜Δｎ（λｋ）・ｄｋ＜４５０ｎｍ
の関係を満たすこと
を特徴とする液晶表示装置。
【００７２】
（付記４）
付記１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
前記中心透過波長λｋによらず、前記画素領域のセル厚ｄが略一定であり、
液晶分子にチルト角θｋを与えるデータ電圧Ｖｋを印加したときの液晶層の実効リタデーションΔｎ（λｋ，θｋ）が、少なくとも２種の前記カラーフィルタ層をそれぞれ備えた前記画素領域間で、
｜Δｎ（λｉ，θｉ）・ｄ／λｉ−Δｎ（λｊ，θｊ）・ｄ／λｊ｜＜０．２
（ｉ，ｊ＝１，２，・・・，Ｎ；ｉ≠ｊ）
の関係を満たすとともに、
偏光板を備えていない状態の液晶表示パネルを透過又は反射した入射光源の色度（ｘ０，ｙ０）と、白表示時の色度（ｘ１，ｙ１）とが、
（（ｘ０−ｘ１）2＋（ｙ０−ｙ１）2）1/2＜０．１
の関係を満たすこと
を特徴とする液晶表示装置。
【００７３】
（付記５）
付記１記載の液晶表示装置において、
前記画素領域は、少なくとも前記一対の基板の一方に形成され、中心透過波長がλｋ（ｋ＝１，２，・・・，Ｎ；Ｎ＞２）である複数のカラーフィルタ層を有し、
前記中心透過波長λｋによらず、前記画素領域のセル厚ｄが略一定であり、
前記中心透過波長λｋが最も短い前記カラーフィルタ層を備えた前記画素領域の前記セル厚ｄと、前記中心透過波長λｋに対する液晶分子の複屈折率Δｎ（λｋ）との積が、
２５０ｎｍ＜Δｎ（λｋ）・ｄ＜４５０ｎｍ
の関係を満たすこと
を特徴とする液晶表示装置。
【００７４】
（付記６）
付記１乃至５のいずれか１項に記載の液晶表示装置において、
前記面積比率は、０．５以上０．９以下であること
を特徴とする液晶表示装置。
【００７５】
（付記７）
付記１乃至６のいずれか１項に記載の液晶表示装置において、
前記低実効電圧領域の閾値電圧は、他の領域の閾値電圧より所定の電圧差だけ高く、
前記電圧差は、０．１Ｖ以上２．０Ｖ以下であること
を特徴とする液晶表示装置。
【００７６】
（付記８）
付記１乃至７のいずれか１項に記載の液晶表示装置において、
前記面積比率は、前記画素領域が有するカラーフィルタ層の中心透過波長λに応じて異なること
を特徴とする液晶表示装置。
【００７７】
（付記９）
付記１乃至８のいずれか１項に記載の液晶表示装置において、
前記低実効電圧領域は、少なくとも一方の前記電極上に所定の膜厚で形成された誘電体層を有していること
を特徴とする液晶表示装置。
【００７８】
（付記１０）
付記９記載の液晶表示装置において、
前記誘電体層は、所定の形成幅及び間隙幅を有するストライプ状に形成されていること
を特徴とする液晶表示装置。
【００７９】
（付記１１）
付記１乃至８のいずれか１項に記載の液晶表示装置において、
前記低実効電圧領域は、少なくとも一方の前記電極に形成された電極抜き部を有していること
を特徴とする液晶表示装置。
【００８０】
（付記１２）
付記１１記載の液晶表示装置において、
前記電極抜き部は、所定の形成幅及び間隙幅を有するストライプ状に形成されていること
を特徴とする液晶表示装置。
【００８１】
（付記１３）
付記１乃至１２のいずれか１項に記載の液晶表示装置において、
前記低実効電圧領域は、前記画素領域の端部近傍に配置されていること
を特徴とする液晶表示装置。
【００８２】
（付記１４）
付記１乃至１３のいずれか１項に記載の液晶表示装置において、
前記液晶は、負の誘電率異方性を有するネマティック液晶であり、初期配向が基板面に略垂直であること
を特徴とする液晶表示装置。
【００８３】
（付記１５）
付記１４記載の液晶表示装置において、
前記液晶を配向規制する配向規制用構造物を少なくとも一方の前記基板上にさらに有し、
前記画素領域は、前記液晶が互いに異なる方位に配向する複数の配向領域を有すること
を特徴とする液晶表示装置。
【００８４】
以上説明した第２の実施の形態による液晶表示装置は、以下のようにまとめられる。
（付記１６）
対向配置され、対向面にそれぞれ電極を備えた一対の基板と、
前記一対の基板間に封止された液晶と、
前記液晶に混入された重合性成分が重合したポリマーと、
セル厚が異なることにより電気光学特性が互いに異なる複数の領域を備えた画素領域と
を有することを特徴とする液晶表示装置。
【００８５】
（付記１７）
付記１６記載の液晶表示装置において、
前記画素領域は、前記複数の領域毎に異なるプレチルト角を有し、
前記プレチルト角は、前記セル厚の相対的に厚い領域で相対的に小さいこと
を特徴とする液晶表示装置。
【００８６】
（付記１８）
付記１７記載の液晶表示装置において、
前記プレチルト角は、前記重合性成分を重合させる際に印加する電圧を前記複数の領域毎に異ならせることにより得られること
を特徴とする液晶表示装置。
【００８７】
（付記１９）
付記１６乃至１８のいずれか１項に記載の液晶表示装置において、
前記画素領域は、前記セル厚の相対的に薄い領域であって前記一対の基板の一方の前記電極上に形成された誘電体層を有していること
を特徴とする液晶表示装置。
【００８８】
（付記２０）
付記１９記載の液晶表示装置において、
前記誘電体層は前記画素領域の外周部に形成され、
前記誘電体層の形成されていない開口部を前記画素領域の内部にさらに有していること
を特徴とする液晶表示装置。
【００８９】
（付記２１）
付記２０記載の液晶表示装置において、
前記誘電体層は、前記開口部側に傾斜した傾斜面を有していること
を特徴とする液晶表示装置。
【００９０】
（付記２２）
付記１９乃至２１のいずれか１項に記載の液晶表示装置において、
前記誘電体層は、０．１μｍ以上前記セル厚以下の膜厚を有していること
を特徴とする液晶表示装置。
【００９１】
（付記２３）
付記２２記載の液晶表示装置において、
前記誘電体層は、０．１μｍ以上前記セル厚の半分以下の膜厚を有していること
を特徴とする液晶表示装置。
【００９２】
（付記２４）
付記２０乃至２３のいずれか１項に記載の液晶表示装置において、
前記一対の基板の他方に形成され、基板面に垂直方向に見て前記開口部のほぼ中央部に配置された突起をさらに有していること
を特徴とする液晶表示装置。
【００９３】
（付記２５）
対向配置された一対の基板と、
前記一対の基板間に封止された液晶と、
重合性成分及び重合開始材が画素領域内の複数の領域毎に異なる濃度で含有された配向膜と
を有することを特徴とする液晶表示装置。
【００９４】
（付記２６）
付記２５記載の液晶表示装置において、
前記画素領域は、前記複数の領域毎に異なるセル厚を有し、
前記セル厚の相対的に厚い領域は、前記濃度が相対的に高いこと
を特徴とする液晶表示装置。
【図面の簡単な説明】
【００９５】
【図１】本発明の第１の実施の形態による液晶表示装置の概略構成を示す図である。
【図２】本発明の第１の実施の形態による液晶表示装置の基本構成を示す断面図である。
【図３】図２に示す領域近傍の構成を示す斜視図である。
【図４】本発明の第１の実施の形態による液晶表示装置の基本構成の変形例を示す斜視図である。
【図５】本発明の第１の実施の形態による液晶表示装置のＴ−Ｖ特性を示すグラフである。
【図６】本発明の第１の実施の形態による液晶表示装置の他の基本構成を示す断面図である。
【図７】本発明の第１の実施の形態による液晶表示装置の他の基本構成を示す断面図である。
【図８】本発明の第１の実施の形態による液晶表示装置の他の基本構成を示す断面図である。
【図９】本発明の第１の実施の形態による液晶表示装置の階調による色度特性の変化を示すグラフである。
【図１０】本発明の第１の実施の形態の実施例１−１乃至１−６と比較例（Ｒｅｆ．）の特性をまとめて示すグラフである。
【図１１】本発明の第１の実施の形態の実施例１−１乃至１−６と比較例（Ｒｅｆ．）の構造及び光学特性をまとめて示すグラフである。
【図１２】本発明の第２の実施の形態による液晶表示装置の構成を示す断面図である。
【図１３】本発明の第２の実施の形態による液晶表示装置の他の構成を示す断面図である。
【図１４】本発明の第２の実施の形態の実施例２−４による液晶表示装置の構成を示す図である。
【図１５】本発明の第２の実施の形態の実施例２−４による液晶表示装置の構成を示す断面図である。
【図１６】本発明の第２の実施の形態の実施例２−４による液晶表示装置の他の構成を示す図である。
【図１７】本発明の第２の実施の形態の実施例２−４による液晶表示装置の他の構成を示す断面図である。
【図１８】従来の液晶表示装置のＴ−Ｖ特性を示すグラフである。
【図１９】従来の液晶表示装置の階調による色度特性の変化を示すグラフである。
【符号の説明】
【００９６】
２  ＴＦＴ基板
４  対向基板
６  液晶
８  液晶分子
１０、１１  ガラス基板
１２  ゲートバスライン
１４  ドレインバスライン
１６  画素電極
２０  ＴＦＴ
３４  絶縁膜
３５、３６  垂直配向膜
４０  カラーフィルタ層
４２  共通電極
４４  線状突起
４６  実効電圧低下用スリット
４８  配向規制用スリット
５０、５２  誘電体層
５４  突起
８０  ゲートバスライン駆動回路
８２  ドレインバスライン駆動回路
８４  制御回路
８６、８７  偏光板
８８  バックライトユニット
【図１】
2008225495.tif 000003
【図２】
2008225495.tif 000004
【図３】
2008225495.tif 000005
【図４】
2008225495.tif 000006
【図５】
2008225495.tif 000007
【図６】
2008225495.tif 000008
【図７】
2008225495.tif 000009
【図８】
2008225495.tif 000010
【図９】
2008225495.tif 000011
【図１０】
2008225495.tif 000012
【図１１】
2008225495.tif 000013
【図１２】
2008225495.tif 000014
【図１３】
2008225495.tif 000015
【図１４】
2008225495.tif 000016
【図１５】
2008225495.tif 000017
【図１６】
2008225495.tif 000018
【図１７】
2008225495.tif 000019
【図１８】
2008225495.tif 000020
【図１９】
2008225495.tif 000021
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
対向配置され、対向面にそれぞれ電極を備えた一対の基板と、
前記一対の基板間に封止された液晶と、
前記液晶に混入された重合性成分が重合したポリマーと、
セル厚が異なることにより電気光学特性が互いに異なる複数の領域を備えた画素領域と
を有することを特徴とする液晶表示装置。
【請求項２】
請求項１記載の液晶表示装置において、
前記画素領域は、前記セル厚の相対的に薄い領域であって前記一対の基板の一方の前記電極上に形成された誘電体層を有していること
を特徴とする液晶表示装置。
【請求項３】
請求項２記載の液晶表示装置において、
前記誘電体層は前記画素領域の外周部に形成され、
前記誘電体層の形成されていない開口部を前記画素領域の内部にさらに有していること
を特徴とする液晶表示装置。
【請求項４】
請求項３記載の液晶表示装置において、
前記誘電体層は、前記開口部側に傾斜した傾斜面を有していること
を特徴とする液晶表示装置。
【請求項５】
対向配置された一対の基板と、
前記一対の基板間に封止された液晶と、
重合性成分及び重合開始材が画素領域内の複数の領域毎に異なる濃度で含有された配向膜と
を有することを特徴とする液晶表示装置。
【手続補正２】
【補正対象書類名】明細書
【補正対象項目名】００２２
【補正方法】変更
【補正の内容】
【００２２】
｜Δｎ（λｉ，θｉ）・ｄ／λｉ−Δｎ（λｊ，θｊ）・ｄ／λｊ｜＜０．２
（ｉ，ｊ＝１，２，・・・，Ｎ；ｉ≠ｊ）